(57)【要約】【課題】コネクタの嵌合状態を検知することが可能なパネル取付型コネクタを提供する。【解決手段】待ち受け側ハウジング１０と、待ち受け側ハウジング１０と相手側ハウジング４０とを正規嵌合に至らしめるレバー３０と、レバー収容部１６の外側に突出してパネルＰに係止することで待ち受け側ハウジング１０をパネルＰに対して仮の取付位置に保持する一方、内側に変位することでパネルＰとの係止が解除されて待ち受け側ハウジング１０がパネルＰに対して正規の取付位置に移動することを許容する仮保持部１９と、を有し、レバー３０が嵌合位置に至っていないときには、仮保持部１９の内側への変位をレバー３０が規制し、レバー３０が嵌合位置に至ると、レバー３０に設けられた変位許容部３６が仮保持部１９の内側に位置して仮保持部１９の内側への変位を許容する。【選択図】図１４
2017027698.tif 000002
【特許請求の範囲】
【請求項１】
パネルに保持されて相手側ハウジングと嵌合可能な待ち受け側ハウジングと、
前記待ち受け側ハウジングに備えられ、初期位置から嵌合位置に移動操作されることにより前記待ち受け側ハウジングと前記相手側ハウジングとを正規嵌合に至らしめるレバーと、
前記レバーが収容されるレバー収容部に設けられ、前記レバー収容部の外側に突出して前記パネルに係止することで前記待ち受け側ハウジングを前記パネルに対して仮の取付位置に保持する一方、内側に変位することで前記パネルとの係止が解除されて前記待ち受け側ハウジングが前記パネルに対して正規の取付位置に移動することを許容する仮保持部と、を有し、
前記レバーが前記嵌合位置に至っていないときには、前記仮保持部の内側への変位を前記レバーが規制し、前記レバーが前記嵌合位置に至ると、前記レバーに設けられた変位許容部が前記仮保持部の内側に位置して前記仮保持部の内側への変位を許容するパネル取付型コネクタ。
【請求項２】
前記仮保持部に、前記待ち受け側ハウジングが前記仮の取付位置から前記正規の取付位置側へ押圧されると、前記パネルに当接して前記仮保持部を内側に変位させるように傾斜する傾斜面が設けられている請求項１に記載のパネル取付型コネクタ。
【請求項３】
前記待ち受け側ハウジングが前記仮の取付位置に保持されているときに、前記レバー収容部の外側に突出して先端が前記パネルに当接可能な当接部と、
前記レバーに設けられて前記当接部を前記レバー収容部の外側に押し出して当接可能にする押出部と、を有し、
前記レバーが前記初期位置にあるときには前記押出部が前記当接部を前記パネルに当接可能にし、前記レバーが前記嵌合位置にあるときには前記押出部が前記当接部から外れ、前記当接部の先端が前記パネルに当接できなくなる請求項１または請求項２に記載のパネル取付型コネクタ。
【請求項４】
前記押出部が、前記レバーの初期位置において前記当接部を押し出し、前記レバーが前記初期位置から嵌合方向へ押されると前記当接部から外れる請求項３に記載のパネル取付型コネクタ。
【請求項５】
前記レバーが、前記待ち受け側ハウジングと前記相手側ハウジングとの嵌合方向に対して交差する方向にスライド移動されるスライドレバーである請求項１ないし請求項４のいずれか一項に記載のパネル取付型コネクタ。
【発明の詳細な説明】
【技術分野】
【０００１】
本発明は、パネル取付型コネクタに関する。
【背景技術】
【０００２】
従来、自動車のドアパネル等に取り付けられるパネル取付型コネクタが知られている。例えば下記特許文献１に記載されたパネル取付型コネクタは、互いに嵌合可能な一対のハウジングのうち一方がパネルに取り付けられ、他方には、両ハウジングを正規嵌合に至らしめるレバーが備えられている。このコネクタは、レバーを初期位置から嵌合位置に回動操作することにより、正規嵌合するようになっている。すなわち、パネルに取り付けられた待ち受け側ハウジングに、レバーを初期位置にした相手側ハウジングを初期嵌合し、待ち受け側ハウジングに設けられたカムフォロアをレバーのカム溝内に進入させてから、レバーを嵌合位置に回動操作する。すると、カムフォロアがカム溝に沿って変位し、待ち受け側ハウジングに対して相手側ハウジングが次第に引き寄せられて正規嵌合状態に至るようになっている。
【先行技術文献】
【特許文献】
【０００３】
【特許文献１】特開２００３−１７３８３７号公報
【発明の概要】
【発明が解決しようとする課題】
【０００４】
ところで、上記のような構成のパネル取付型コネクタには、コネクタの嵌合状態を検知する手段が設けられていない。コネクタが半嵌合状態で留め置かれることは望ましくないため、コネクタの嵌合状態を検知することが可能なパネル取付型コネクタが望まれていた。
【０００５】
本発明は上記のような事情に基づいて完成されたものであって、コネクタの嵌合状態を検知することが可能なパネル取付型コネクタを提供することを目的とする。
【課題を解決するための手段】
【０００６】
本発明のパネル取付型コネクタは、パネルに保持されて相手側ハウジングと嵌合可能な待ち受け側ハウジングと、前記待ち受け側ハウジングに備えられ、初期位置から嵌合位置に移動操作されることにより前記待ち受け側ハウジングと前記相手側ハウジングとを正規嵌合に至らしめるレバーと、前記レバーが収容されるレバー収容部に設けられ、前記レバー収容部の外側に突出して前記パネルに係止することで前記待ち受け側ハウジングを前記パネルに対して仮の取付位置に保持する一方、内側に変位することで前記パネルとの係止が解除されて前記待ち受け側ハウジングが前記パネルに対して正規の取付位置に移動することを許容する仮保持部と、を有し、前記レバーが前記嵌合位置に至っていないときには、前記仮保持部の内側への変位を前記レバーが規制し、前記レバーが前記嵌合位置に至ると、前記レバーに設けられた変位許容部が前記仮保持部の内側に位置して前記仮保持部の内側への変位を許容する。
【発明の効果】
【０００７】
本発明によれば、コネクタの正規嵌合時には待ち受け側ハウジングをパネルに対して正規の取付位置に移動することができ、コネクタの半嵌合時には正規の取付位置に移動することができない。すなわち、待ち受け側ハウジングをパネルに対して仮の取付位置から正規の取付位置に移動できるか否かによってコネクタの嵌合状態を検知することができる。
【図面の簡単な説明】
【０００８】
【図１】本実施例におけるコネクタであって、正規嵌合後にパネルに対して正規の取り付け位置に保持された状態を示す断面図
【図２】待ち受け側ハウジングを示す正面図
【図３】相手側ハウジングを示す正面図
【図４】レバーを示す平面図
【図５】パネルに対して仮の取付位置に保持された状態の待ち受け側ハウジングを示す断面図
【図６】パネルに対して仮の取付位置に保持された状態の待ち受け側ハウジングを示す断面図であって、図５のＡ−Ａ位置における断面に相当する断面図
【図７】待ち受け側ハウジングと相手側ハウジングとを嵌合する前にスライドレバーを初期位置に引き出した状態を示す断面図
【図８】待ち受け側ハウジングと相手側ハウジングとを初期嵌合した状態を示す断面図
【図９】待ち受け側ハウジングと相手側ハウジングとを初期嵌合した状態を示す断面図であって、図８のＢ−Ｂ位置における断面に相当する断面図
【図１０】待ち受け側ハウジングと相手側ハウジングとを初期嵌合した状態を示す断面図であって、図８のＣ−Ｃ位置における断面に相当する断面図
【図１１】半嵌合状態のコネクタを示す断面図
【図１２】半嵌合状態のコネクタを示す断面図であって、図１１のＤ−Ｄ位置における断面に相当する断面図
【図１３】正規嵌合状態に至ったコネクタをパネルに対して正規の取り付け位置に押し込む様子を示す断面図
【図１４】正規嵌合状態に至ったコネクタをパネルに対して正規の取り付け位置に押し込む様子を示す断面図であって、図１３のＥ−Ｅ位置における断面に相当する断面図
【図１５】正規嵌合状態に至ったコネクタをパネルに対して正規の取り付け位置に押し込む様子を示す断面図であって、図１３のＦ−Ｆ位置における断面に相当する断面図
【発明を実施するための形態】
【０００９】
本発明の好ましい形態を以下に示す。
本発明のパネル取付型コネクタは、前記仮保持部に、前記待ち受け側ハウジングが前記仮の取付位置から前記正規の取付位置側へ押圧されると、前記パネルに当接して前記仮保持部を内側に変位させるように傾斜する傾斜面が設けられているものとしてもよい。このような構成によれば、仮保持部を内側に変位させるために治具等が不要であるから、待ち受け側ハウジングを容易に正規の取付位置に移動することができる。
【００１０】
また、本発明のパネル取付型コネクタは、前記待ち受け側ハウジングが前記仮の取付位置に保持されているときに、前記レバー収容部の外側に突出して先端が前記パネルに当接可能な当接部と、前記レバーに設けられて前記当接部を前記レバー収容部の外側に押し出して当接可能にする押出部と、を有し、前記レバーが前記初期位置にあるときには前記押出部が前記当接部を前記パネルに当接可能にし、前記レバーが前記嵌合位置にあるときには前記押出部が前記当接部から外れ、前記当接部の先端が前記パネルに当接できなくなるものとしてもよい。
【００１１】
このような構成によれば、レバーを初期位置にして相手側ハウジングを待ち受け側ハウジングに初期嵌合する際に、当接部の先端がパネルに当接するから、待ち受け側ハウジングががたつくことを防ぐことができる。また、コネクタの正規嵌合時には、当接部の先端がパネルに当接しない退避姿勢になるから、コネクタを正規の取付位置に移動することができる。
【００１２】
また、本発明のパネル取付型コネクタは、前記押出部が、前記レバーの初期位置において前記当接部を押し出し、前記レバーが前記初期位置から嵌合方向へ押されると前記当接部から外れるものとしてもよい。このような構成によれば、待ち受け側ハウジングに対して相手側ハウジングを初期嵌合させる時のみ、レバーの押出部が当接部を押し上げ、レバーの移動操作時には当接部から外れるから、レバーの移動操作において押出部が当接部を押し上げ続けることによる抵抗力が生じることを防ぐことができる。
【００１３】
また、本発明のパネル取付型コネクタは、前記レバーが、前記待ち受け側ハウジングと前記相手側ハウジングとの嵌合方向に対して交差する方向にスライド移動されるスライドレバーであるものとしてもよい。このような構成によれば、仮保持部を待ち受け側ハウジングの幅方向における端部に配置できるから、待ち受け側ハウジングをバランスよく仮の取付位置に保持することができる。
【００１４】
＜実施例＞
以下、本発明を具体化した一実施例について、図１〜図１５を参照しつつ詳細に説明する。
本実施例におけるパネル取付型コネクタ（以後、単にコネクタＣと称する）は、自動車のドアの配設部分に設けられるスライドレバー形式のコネクタであって、車両のホディ側に張設されたパネルＰに待ち受け状態で配される待ち受け側ハウジング１０と、待ち受け側ハウジング１０に対して嵌合される相手側ハウジング４０とを備えている。スライドレバー３０は、待ち受け側ハウジング１０に備えられ、初期位置から嵌合位置に移動操作されることにより待ち受け側ハウジング１０と相手側ハウジング４０とを正規嵌合に至らしめる。パネルＰには、待ち受け側ハウジング１０が略緊密に嵌合される縦長の長方形をなす取付孔Ｈが開口されている。
【００１５】
以下、待ち受け側ハウジング１０においては図１の左側、相手側ハウジング４０においては図１の右側をそれぞれ前方とし、また、図１における上側を上方、下側を下方、図２および図３における左右方向をそれぞれの左右方向として説明する。
【００１６】
待ち受け側ハウジング１０は雄型ハウジングであって、合成樹脂材により概ね縦長のブロック状に形成されている。待ち受け側ハウジング１０は、雄型の端子金具（以後、待ち受け側端子金具１１と称する）が収容される端子収容部（以後、待ち受け側端子収容部１２と称する）と、相手側ハウジング４０が嵌合されるフード部１３とを備えている。
【００１７】
待ち受け側端子収容部１２には複数のキャビティ１４が縦横に並んで列設され、ボディ側に配された機器等から引き出された各電線Ｗの端末に接続された待ち受け側端子金具１１が、対応するキャビティ１４内に後方から挿入されている。待ち受け側端子金具１１は、先端のタブ部をフード部１３内に突出させた形態で抜け止めされて収容される。
【００１８】
待ち受け側ハウジング１０における後端寄りの位置には、パネルＰの裏面側（図５の右側）に当接して待ち受け側ハウジング１０をパネルＰに対して仮の取付位置に保持する仮保持用フランジ部１５が設けられている。仮保持用フランジ部１５は、待ち受け側ハウジング１０の外周の全周にわたって、パネルＰの取付孔Ｈよりも一回り大きい外形をなして張り出し形成されている。
【００１９】
待ち受け側端子収容部１２の左右両側には、図２に示すように、スライドレバー３０が収容されるレバー収容部１６が設けられている。レバー収容部１６は上方に開口し、スライドレバー３０のカム板部３１が上方から差し入れられる。レバー収容部１６の上下方向における中央部には、相手側ハウジング４０に設けられたフォロアピン４７が導入可能な導入口１７が開口されている。
【００２０】
レバー収容部１６には、スライドレバー３０を初期位置および嵌合位置にそれぞれ保持するためのロック溝部１８が設けられている（図５および図７参照）。ロック溝部１８は、レバー収容部１６の外壁１６Ｗ（待ち受け側ハウジング１０の左右両側壁）に上下一対ずつ設けられている。各ロック溝部１８は、前後方向に細長く延びている。
【００２１】
レバー収容部１６には、待ち受け側ハウジング１０をパネルＰに対して仮の取付位置に保持する仮保持部１９と、待ち受け側ハウジング１０が仮の取付位置に保持されているときにパネルＰに当接可能な当接部２１とが設けられている。仮保持部１９および当接部２１については、後ほど詳しく説明する。
【００２２】
スライドレバー３０は合成樹脂製であって、図４に示すように、左右一対のカム板部３１と、カム板部３１の上端同士を連結する形態で設けられた操作部３２とを有し、全体として門形形状に形成されている。スライドレバー３０は、カム板部３１をレバー収容部１６に収容させて上下方向（待ち受け側ハウジング１０と相手側ハウジング４０との嵌合方向に対して交差する方向）にスライド移動される。すなわち、操作部３２を下向きに押圧すると、スライドレバー３０が初期位置から嵌合位置へ向かう方向にスライド移動し、操作部３２を上向きに引っ張ると、嵌合位置から初期位置へ向かう方向にスライド移動する。スライドレバー３０の初期位置では、図７に示すように、カム板部３１の略半分がレバー収容部１６内に収容され、嵌合位置では、図５に示すように、カム板部３１の略全体がレバー収容部１６内に収容される。
【００２３】
カム板部３１は、図４に示すように、上下方向に長い略長方形の板状をなしている。左右一対のカム板部３１には、所定の形状をなすカム溝３３が左右対称に形成されている。カム溝３３の出入口３３Ｅは、カム板部３１の下端部に位置して前側に開口している。
【００２４】
カム板部３１には、レバー収容部１６のロック溝部１８に係止してスライドレバー３０を初期位置および嵌合位置にそれぞれ保持するロック部３４が設けられている。ロック部３４は、カム板部３１に上下一対ずつ設けられ、いずれのロック部３４も上下方向（スライドレバー３０のスライド方向）に片持ち状をなして形成されている。ロック部３４は、下端側が基端、上端側が自由端とされ、ロック部３４の上端部に、ロック溝部１８に嵌るロック突起３５が設けられている。
【００２５】
カム板部３１には、仮保持部１９の変位を許容する変位許容部３６と、当接部２１をレバー収容部１６の外側に押し出してパネルＰに当接可能とさせる押出部３７とが設けられている。変位許容部３６および押出部３７については、後ほど詳しく説明する。
【００２６】
相手側ハウジング４０は雌型ハウジングであって、図３に示すように、合成樹脂材により縦長のブロック状に形成されている。相手側ハウジング４０は、図９に示すように、雌型の端子金具（以後、相手側端子金具４１と称する）が収容される端子収容部（以後、相手側端子収容部４２と称する）と、グロメット４３が取り付けられるフランジ部４４と、正規嵌合したコネクタＣをパネルＰに対して正規の取付位置に保持する本保持部４５とを備えている（図１、図３および図７参照）。
【００２７】
相手側端子収容部４２は、図２および図３に示すように、待ち受け側ハウジング１０のフード部１３内に嵌合可能とされている。相手側端子収容部４２には、複数のキャビティ４６が、待ち受け側端子収容部１２に設けられたキャビティ１４に対応した配列で形成されている。ドア側に配された機器等から引き出された各電線Ｗの端末に接続された相手側端子金具４１は、対応するキャビティ４６に後方から挿入され、抜け止めされて収容される。
【００２８】
相手側端子収容部４２の左右両面には、図３に示すように、スライドレバー３０のカム溝３３に嵌合可能なフォロアピン４７が立設されている。左右一対のフォロアピン４７は、相手側端子収容部４２の上下方向における略中央部において前端寄りに位置して設けられている（図７参照）。
【００２９】
フランジ部４４は、相手側ハウジング４０の後端に設けられている。フランジ部４４は、相手側ハウジング４０の外周の全周にわたって、仮保持用フランジ部１５よりも一回り大きい外形をなして張り出し形成されている。
【００３０】
本保持部４５は、図１および図３に示すように、フランジ部４４の前面に突設されている。本保持部４５は、相手側端子収容部４２を間にした上下両側に設けられている。本保持部４５には、取付孔Ｈの孔縁部に係止可能な係止突起４８が突設されている（図１参照）。係止突起４８は、上下方向に弾性変位可能な形態で設けられた弾性変位部４９に突設されている。
【００３１】
グロメット４３はゴム製であって、相手側ハウジング４０の後面を覆うとともに、相手側ハウジング４０の後面に引き出されて一纏めにされた電線Ｗを包囲している。グロメット４３の開口縁部には、相手側ハウジング４０のフランジ部４４に取り付けられる取付部５１が形成されている。取付部５１は、フランジ部４４の外周側に全周に亘って嵌合可能な嵌合溝５２を有している。取付部５１の前面には、前方に向けてラッパ状に広がった密着部５３が形成されている。
【００３２】
さて、仮保持部１９は、スライドレバー３０が収容されるレバー収容部１６の外側に突出して設けられている。仮保持部１９は、パネルＰに係止することで待ち受け側ハウジング１０をパネルＰに対して仮の取付位置に保持する一方、内側に変位することでパネルＰとの係止が解除されて待ち受け側ハウジング１０がパネルＰに対して正規の取付位置に移動することを許容するものである。
【００３３】
仮保持部１９は、待ち受け側ハウジング１０の左右両側面（レバー収容部１６の外壁１６Ｗ）に上下一対ずつ設けられている。上下一対の仮保持部１９は、待ち受け側ハウジング１０の上下方向における端部寄りの位置に配されている。全ての仮保持部１９は、待ち受け側ハウジング１０の後端部に設けられている。
【００３４】
各仮保持部１９は、周囲に形成されたスリット２２により、前端側が基端、後端側が自由端となる片持ち状に形成され、左右方向に弾性変位可能とされている。各仮保持部１９は、前後方向に長い本体部２３と、本体部２３の外面に突設された突起部２４とを備えている。本体部２３は、前後方向に長い長方形状をなし、幅寸法（上下方向の寸法）は略一定とされている。突起部２４は、本体部２３の後端部に設けられている。突起部２４は、本体部２３の略後半部分の略全幅に形成されている。
【００３５】
突起部２４は、図１０に示すように、上下方向から見ると山状をなし、突起部２４の前後両面は傾斜面とされている。突起部２４の前側の傾斜面（以後、前側傾斜面２５Ａと称する）は、後方に向かって次第に突出寸法が増す傾斜をなし、後側の傾斜面（以後、後側傾斜面２５Ｂと称する）は、後方に向かって次第に突出寸法が減る傾斜をなしている。前側傾斜面２５Ａと後側傾斜面２５Ｂとは同等の勾配とされている。突起部２４の突出端面は、略水平（前後方向に対して略平行）な面とされている。
【００３６】
仮保持部１９の後端と仮保持用フランジ部４４の前面との間には、パネルＰの厚さに略等しい間隙があけられている（図１０参照）。待ち受け側ハウジング１０がパネルＰに対して仮の取付位置に配された状態では、突起部２４の後側傾斜面２５ＢがパネルＰの表面に対向して配される。待ち受け側ハウジング１０は、仮保持部１９の突起部２４と仮保持用フランジ部４４とがパネルＰを挟持することで、パネルＰに対して仮の取付位置に保持される。
【００３７】
当接部２１は、図５に示すように、待ち受け側ハウジング１０の左右両側面（レバー収容部１６の外壁１６Ｗ）に一ずつ設けられている。当接部２１は、いずれも待ち受け側ハウジング１０の上下方向における中央部に位置している。当接部２１は、いずれも待ち受け側ハウジング１０の後端部に設けられている。
【００３８】
当接部２１は、周囲に形成されたスリット２６により、前端側が基端、後端側が自由端となる片持ち状に形成され、左右方向に弾性変位可能とされている。当接部２１は、前後方向に長い本体部２７と、本体部２７の内面に突設された突起部２８とを備えている（図６参照）。本体部２７は、前後方向に長い長方形状をなし、幅寸法（上下方向の寸法）は略一定とされている。本体部２７の前後方向の寸法および幅寸法は、いずれも仮保持部１９の本体部２３の同方向の寸法よりも小さくされている。突起部２８は、前後両面が本体部２３に対して略直角に立つ壁状をなしている。
【００３９】
当接部２１は、常には、本体部２７が弾性撓みしていない自然状態となっている。当接部２１は、自然状態では、図６に示すように、全体がレバー収容部１６から外側に突出することなく退避した退避姿勢となっている。退避姿勢の当接部２１は、本体部２７の外面がレバー収容部１６の外面と平坦に連なる。当接部２１の後端（突起部２８の後面）と仮保持用フランジ部１５の前面との間には、パネルＰの厚さに略等しい間隙が開けられている。当接部２１は、後述するスライドレバー３０の押出部３７によってレバー収容部１６の外側に押し出されることにより、図９に示すように、斜め姿勢に弾性変位して、後端（先端）がパネルＰの表面に当接可能な当接姿勢になる。
【００４０】
変位許容部３６は、図４に示すように、各カム板部３１の後端部に設けられている。変位許容部３６は、レバー収容部１６の仮保持部１９に対応して、カム板部３１の上下方向における両端部に設けられている。変位許容部３６は、スライドレバー３０が嵌合位置に至っていないときには、図７および図１１に示すように、全てが仮保持部１９から上下方向にずれて配される。また、スライドレバー３０が嵌合位置に至ったときには、図５に示すように、すべての変位許容部３６が仮保持部１９の内側に位置するようになっている。すなわちスライドレバー３０が嵌合位置に至っていないときには、例えば図１０に示すように、スライドレバー３０によって仮保持部１９の撓み空間が埋められ、仮保持部１９の内側への弾性変位が制限される。また、スライドレバー３０が嵌合位置に至っているときには、図１４に示すように、スライドレバー３０に設けられた変位許容部３６が仮保持部１９の内側に位置して仮保持部１９の撓み空間が確保され、仮保持部１９の内側への弾性変位が許容される。
【００４１】
変位許容部３６は、図１４に示すように、スライドレバー３０の左右両側面（各カム板部３１の外面）に凹み形成されている。各変位許容部３６は、後方に開放されるとともに前側および内側が閉じた凹部とされている。各変位許容部３６は、仮保持部１９の本体部２３と概ね同形の前後方向に長い長方形状をなしている。各変位許容部３６の深さ寸法は、仮保持部１９が内側（変位許容部３６側）に弾性変位したときに、仮保持部１９の突起部２４がレバー収容部１６の外側に突出しないだけの寸法とされている。
【００４２】
押出部３７は、図４に示すように、各カム板部３１の後端縁に沿って上下方向に延びて形成された溝部３８に設けられている。溝部３８は、スライドレバー３０の左右両側面に凹み形成されている。溝部３８は、図６に示すように、当接部２１の突起部２８が嵌合可能な断面方形状をなしている。溝部３８に突起部２８が嵌合した状態の当接部２１は、自然状態になる。なお、溝部３８は、変位許容部３６よりも一段浅くされている。
【００４３】
押出部３７は、図４に示すように、溝部３８の下端部に設けられている。押出部３７は、溝部３８を埋めるように、溝部３８の底面に突設されている。押出部３７の上下両面（スライドレバー３０のスライド方向における前側面と後側面）は、傾斜面とされている。押出部３７の傾斜面のうち上側の傾斜面（以後、上側傾斜面３９Ａと称する）は、下方に向かって次第に突出寸法が増す傾斜をなし、下側の傾斜面（以後、下側傾斜面３９Ｂと称する）は、下方に向かって次第に突出寸法が減る傾斜をなしている。押出部３７の突出端面は、略垂直（上下方向に略平行）な面とされている。
【００４４】
押出部３７は、スライドレバー３０が初期位置にあるときのみ、図９に示すように、当接部２１をレバー収容部１６の外側に押し出して当接姿勢にし、スライドレバー３０が初期位置でないときには、例えば図６に示すように、当接部２１から外れて当接部２１を退避姿勢にする。
【００４５】
次に、本実施例におけるコネクタＣの嵌合作業の一例を説明する。
まず、図５に示すように、待ち受け側ハウジング１０をパネルＰに対して仮の取付位置に取り付ける。取付の際には、スライドレバー３０を嵌合位置にしておく。スライドレバー３０が嵌合位置にあるときには、仮保持部１９の内側に変位許容部３６が位置して仮保持部１９は内側に弾性変位可能になり、当接部２１は、図６に示すように、突起部２８がスライドレバー３０の溝部３８に嵌合して退避姿勢になる。待ち受け側ハウジング１０をパネルＰの裏側（図５の右側）から取付孔Ｈに嵌合すると、仮保持部１９の前側傾斜面２５ＡがパネルＰに当接し、前側傾斜面２５Ａの傾斜によって仮保持部１９が内側に徐々に弾性変位する。やがて、仮保持用フランジ部１５がパネルＰの裏面に当たるまで押し込まれると、仮保持部１９が弾性復帰して突起部２４がパネルＰの表面側に係止する。これにより待ち受け側ハウジング１０は、フード部１３をパネルＰの表面側に突出させた待ち受け状態で仮の取付位置に保持される。
【００４６】
次に、相手側ハウジング４０を待ち受け側ハウジング１０に初期嵌合させる。初期嵌合の際には、図７に示すように、スライドレバー３０を嵌合位置から初期位置に引き出しておく。スライドレバー３０が初期位置にあるときには、変位許容部３６が仮保持部１９からずれて仮保持部１９の弾性変位が制限される（図１０参照）。また、押出部３７の上側傾斜面３９Ａの傾斜によって次第に外側に押し出された当接部２１が、押出部３７の突出端面に乗り上がって当接姿勢になる（図９参照）。スライドレバー３０の初期位置では、カム溝３３の出入口３３Ｅと、レバー収容部１６の導入口１７とが整合した状態になる（図２参照）。
【００４７】
スライドレバー３０が上記の初期位置にある状態で、図８に示すように、相手側ハウジング４０を待ち受け側ハウジング１０に初期嵌合すると、待ち受け側ハウジング１０のフォロワピンがレバー収容部１６の導入口１７を通って、カム溝３３の出入口３３Ｅに進入する。この際、待ち受け側ハウジング１０には、比較的大きな後向きの力が作用し、当接部２１の後端がパネルＰに突き当たる。これにより、待ち受け側ハウジング１０が前後方向にがたつくことを防ぐことができる。
【００４８】
次いで、スライドレバー３０を嵌合位置にスライドさせる。スライドレバー３０が初期位置から嵌合位置への移動を開始すると、押出部３７が当接部２１からずれ、押出部３７の上側傾斜面３９Ａの傾斜によって当接部２１が次第に退避姿勢になる。また、仮保持部１９は、スライドレバー３０によって弾性変位が制限された状態で維持される。両ハウジング１０，４０は、フォロアピン４７がカム溝３３に沿って移動することに伴うカム作用により、互いに引き寄せられて嵌合が進む。
【００４９】
ここで、スライドレバー３０が嵌合位置まで正規に押し込まれない場合には、両ハウジング１０，４０は正規嵌合に至らず、いわゆる半嵌合状態に留まる。コネクタＣが半嵌合状態である場合には、図１１に示すように、変位許容部３６が仮保持部１９からずれているため、図１２に示すように、仮保持部１９の内側への変位がスライドレバー３０によって制限されている。したがって、コネクタＣを正規の取付位置に押し込もうとしても、仮保持部１９がパネルＰに当たって押し込むことができないため、作業者はコネクタＣが半嵌合状態であることに気付くことができる。
【００５０】
スライドレバー３０が嵌合位置まで押し込まれると、図１３に示すように、フォロアピン４７がカム溝３３の終端に達し、両ハウジング１０，４０が正規嵌合される。このとき、スライドレバー３０の変位許容部３６が仮保持部１９の内側に配され、図１４に示すように、仮保持部１９の弾性変位が可能となる。また、当接部２１は押出部３７からずれていて、図１５に示すように、自然状態で維持される。なお、押出部３７は、下側の仮保持部１９よりも下方に至っている。
【００５１】
次に、コネクタＣをパネルＰに対して正規の取付位置に押し込む。正規嵌合状態のコネクタＣをパネルＰの裏側へ向かって（図１３の矢印方向に）押し込むと、仮保持部１９の後側傾斜面２５ＢがパネルＰに当接し、図１４に示すように、後側傾斜面２５Ｂの傾斜によって仮保持部１９が次第に内側に変位し、パネルＰとの係止が解除される。仮保持部１９の突起部２４がパネルＰの取付孔Ｈを通ってパネルＰの裏側に至ると、仮保持部１９は外側に弾性復帰する。また、当接部２１は、図１５に示すように、退避状態であるから、パネルＰに当接することなく、パネルＰの取付孔Ｈを通ってパネルＰの裏側に至る。引き続きコネクタＣをパネルＰの裏側に押し込むと、コネクタＣの大部分がパネルＰの裏側に配され、本保持部４５の係止突起４８がパネルＰに当接して弾性変位部４９が内側に弾性変位する。図１に示すように、係止突起４８がパネルＰの裏側に至ると弾性変位部４９が弾性復帰して、本保持部４５がパネルＰの裏面に係止する。また、グロメット４３の密着部５３が弾縮してパネルＰの表面側に押し付けられる。これにより、正規嵌合されたコネクタＣは、パネルＰに対して正規の取付位置に取り付けられ、パネルＰの取付孔Ｈはシールされる。
以上により、コネクタＣの嵌合作業が完了する。
【００５２】
なお、パネルＰに対して正規の取付位置に取り付けられたコネクタＣは、スライドレバー３０を含む概ね全体がパネルＰの裏側に押し込まれた形態となるから、パネルＰの表側の省スペース化を図ることができる。
【００５３】
次に、上記のように構成された実施例の作用および効果について説明する。
本実施例におけるコネクタＣは、パネルＰに保持されて相手側ハウジング４０との嵌合を待ち受ける待ち受け側ハウジング１０を有し、待ち受け側ハウジング１０には、初期位置から嵌合位置に移動操作されることにより待ち受け側ハウジング１０と相手側ハウジング４０とを正規嵌合に至らしめるスライドレバー３０が備えられている。スライドレバー３０が収容されるレバー収容部１６には、レバー収容部１６の外側に突出してパネルＰに係止することで待ち受け側ハウジング１０をパネルＰに対して仮の取付位置に保持する一方、内側に変位することでパネルＰとの係止が解除されて待ち受け側ハウジング１０がパネルＰに対して正規の取付位置に移動することを許容する仮保持部１９が設けられている。スライドレバー３０が嵌合位置に至っていないときには、仮保持部１９の内側への変位をスライドレバー３０が規制し、スライドレバー３０が嵌合位置に至ると、スライドレバー３０に設けられた変位許容部３６が仮保持部１９の内側に位置して仮保持部１９の内側への変位を許容するようになっている。
【００５４】
この構成によれば、コネクタＣの正規嵌合時には待ち受け側ハウジング１０をパネルＰに対して正規の取付位置に移動することができ、コネクタＣの半嵌合時には正規の取付位置に移動することができない。すなわち、待ち受け側ハウジング１０をパネルＰに対して仮の取付位置から正規の取付位置に移動できるか否かによってコネクタＣの嵌合状態を検知することができる。
【００５５】
また、仮保持部１９に、待ち受け側ハウジング１０が仮の取付位置から正規の取付位置側へ押圧されると、パネルＰに当接して仮保持部１９を内側に変位させるように傾斜する後側傾斜面２５Ｂが設けられている。この構成によれば、仮保持部１９を内側に変位させるために治具等が不要であるから、待ち受け側ハウジング１０を容易に正規の取付位置に移動することができる。
【００５６】
また、待ち受け側ハウジング１０が仮の取付位置に保持されているときに、レバー収容部１６の外側に突出して先端がパネルＰに当接可能な当接姿勢になり得る当接部２１が設けられ、スライドレバー３０には、当接部２１をレバー収容部１６の外側に押し出して当接姿勢にする押出部３７が設けられている。スライドレバー３０が初期位置にあるときには押出部３７が当接部２１を当接姿勢にし、スライドレバー３０が嵌合位置にあるときには、押出部３７が当接部２１から外れて当接部２１の先端がパネルＰに当接しない退避姿勢になっている。
【００５７】
この構成によれば、スライドレバー３０を初期位置にして相手側ハウジング４０を待ち受け側ハウジング１０に初期嵌合する際に、当接部２１の先端がパネルＰに当接するから、待ち受け側ハウジング１０ががたつくことを防ぐことができる。また、コネクタＣの正規嵌合時には、当接部２１の先端がパネルＰに当接しない退避姿勢になるから、コネクタＣを正規の取付位置に移動することができる。
【００５８】
また、押出部３７が、スライドレバー３０の初期位置においてのみ当接部２１を押し出し、初期位置から嵌合位置への移動を開始すると当接部２１から外れるようになっている。このような構成によれば、スライドレバー３０の押出部３７が、待ち受け側ハウジング１０に対して相手側ハウジング４０を初期に嵌合させる時のみ当接部２１を押し上げ、スライドレバー３０の移動操作時には当接部２１から外れるから、スライドレバー３０の移動操作において押出部３７が当接部２１を押し上げ続けることによる抵抗力が生じることを防ぐことができる。
【００５９】
また、スライドレバー３０が、待ち受け側ハウジング１０と相手側ハウジング４０との嵌合方向に対して交差する方向にスライド移動されるスライドレバー３０である。この構成によれば、仮保持部１９を待ち受け側ハウジング１０の幅方向における両端部に配置できるから、待ち受け側ハウジング１０をバランスよく仮の取付位置に保持することができる。
【００６０】
＜他の実施例＞
本発明は上記記述及び図面によって説明した実施例に限定されるものではなく、例えば次のような実施例も本発明の技術的範囲に含まれる。
（１）上記実施形態では、コネクタＣの嵌合力を助勢するレバーとしてスライドレバー３０を例示したが、回動式レバーを適用したものであってもよい。
（２）上記実施形態では、待ち受け側ハウジング１０および相手側ハウジング４０を例示したが、待ち受け側ハウジングと相手側ハウジングとは、雄雌が上記とは逆であってもよい。
（３）上記実施形態では、変位許容部３６は有底の凹部とされているが、これに限らず、例えば変位許容部はカム板部を板厚方向に貫通する開口部であってもよい。
（４）上記実施形態では、仮保持部１９および当接部２１の位置および数等について例示したが、これに限らず、仮保持部および当接部の位置および数等は任意に変更することができる。
（５）上記実施形態では、仮保持部１９に後側傾斜面２５Ｂが形成されて仮の取付位置にセミロックされるものとしたが、これに限らず、例えば仮保持部の後面を前後方向に対して略直角な面とし、治具等を用いて仮保持部を内側に変位させるようにしてもよい。
（６）上記実施形態では、待ち受け側ハウジング１０に当接部２１が設けられているが、必ずしも当接部を設けなくてもよい。
（７）上記実施形態では、押出部３７が、スライドレバー３０の初期位置においてのみ当接部２１を押し出し、初期位置から嵌合位置への移動を開始すると当接部２１から外れるようになっているが、これに限らず、押出部が、例えばレバーの嵌合位置においてのみ当接部から外れるようにしてもよい。
【符号の説明】
【００６１】
Ｃ…パネル取付型コネクタ（コネクタ）
Ｐ…パネル
１０…待ち受け側ハウジング
１６…レバー収容部
１９…仮保持部
２１…当接部
２５…後側傾斜面（傾斜面）
３０…スライドレバー（レバー）
３６…変位許容部
３７…押出部
４０…相手側ハウジング
【図１】
2017027698.tif 000003
【図２】
2017027698.tif 000004
【図３】
2017027698.tif 000005
【図４】
2017027698.tif 000006
【図５】
2017027698.tif 000007
【図６】
2017027698.tif 000008
【図７】
2017027698.tif 000009
【図８】
2017027698.tif 000010
【図９】
2017027698.tif 000011
【図１０】
2017027698.tif 000012
【図１１】
2017027698.tif 000013
【図１２】
2017027698.tif 000014
【図１３】
2017027698.tif 000015
【図１４】
2017027698.tif 000016
【図１５】
2017027698.tif 000017